(57)【要約】【課題】２本のパイプを相互に連結する際、パイプ１の端部近傍に係合溝１２を設けると共に、他方のパイプ２に、パイプ１をパイプ２に挿入した状態で係合溝１２に一致する窓穴２２を設け、窓穴２２と係合溝１２との双方に架け渡される抜け止め部材を装着して、両パイプ１，２が連結されるようにした配管連結構造が知られている。従来は抜け止め部材を線材で形成していたので、パイプ１が抜ける方向に力が作用すると、大きな剪断力が抜け止め部材に作用して、抜け止め部材が変形し破損するおそれがあった。【解決手段】抜け止め部材３の抜け止め部３１に係合平面３１ａ，３１ｂを形成し、剪断力がこれら係合平面３１ａ，３１ｂの全域に分散されるようにした。【選択図】  図１
2006138364.tif 000002
【特許請求の範囲】
【請求項１】
１対の配管部材のうちの一方の端部を他方の開口に挿入した状態で抜け止め部材を両配管部材に係合させて、両配管が相互に離脱しないようにした配管連結構造であって、一方の配管の外周に係合溝を形成すると共に、一方の配管を他方の配管の開口に挿入した状態でこの係合溝に臨む窓穴を他方の配管に形成し、抜け止め部材を窓穴と係合溝とに架け渡すものにおいて、抜け止め部材の、窓穴に挿入される部分に配管の軸線方向に対向する１対の係合平面を形成し、この係合平面の外側全域を窓穴内に位置させると共に係合平面の内側全域を係合溝内に位置させることにより、係合平面の全域にわたって抜け止め部材を窓穴と係合溝とに架け渡すことを特徴とする配管連結構造。
【請求項２】
上記抜け止め部材は窓穴をほぼ塞ぐように装着されることを特徴とする請求項１に記載の配管連結構造。
【発明の詳細な説明】
【技術分野】
【０００１】
本発明は、１対の配管部材を相互に連結する配管連結構造に関する。
【背景技術】
【０００２】
従来のこの種の配管連結構造として、例えば、１対の配管部材のうち、一方の配管部材の端部を他方の配管部材の開口内に挿入し、その挿入した状態で抜け止め部材を用いて他方の配管部材が一方の配管部材から抜け出ないようにしたものが知られている（例えば、特許文献１参照）。
【０００３】
このものでは、図４に示すように、一方の配管部材Ａの外周面に係合溝Ａ１を設けており、他方の配管部材Ｂに差し込んだ状態で、この係合溝Ａ１に臨むように窓穴Ｂ１が配管部材Ｂに形成されている。そして、線材を曲げ加工した抜け止め部材Ｃを窓穴Ｂ１内に嵌め込んでいる。すると、抜け止め部材Ｃに形成した１対の抜け止め部Ｃ１が、係合溝Ａ１と窓穴Ｂ１とに、Ｄで示す４個所で架け渡されることにより、配管部材Ａの配管部材Ｂからの抜けが防止される。
【特許文献１】実開平４−４６２９４号公報（図４）
【発明の開示】
【発明が解決しようとする課題】
【０００４】
配管部材Ａが配管部材Ｂから抜け出る方向に力が作用すると、配管部材Ａは抜け止め部Ｃ１に引っ掛かって配管部材Ｂから抜け出ることはないが、抜け止め部Ｃ１には剪断力が作用する。この剪断力はＤで示す４個所に分散されるものの、剪断力が作用する範囲は４個所すべてを合わせても狭いため、抜け止め部Ｃ１には局所的に大きな剪断力が作用する。そのため、抜け止め部Ｃ１は変形し、あるいは破断するおそれが生じる。
【０００５】
また、上記従来のものでは、抜け止め部Ｃ１は窓穴Ｂ１を通り抜けて係合溝Ａ１内に嵌り込むので、抜け止め部材Ｃを配管部材Ｂに装着した状態で、窓穴Ｂ１が開口されたままの状態になる。すると、この窓穴Ｂ１内に埃等が侵入し堆積するという不具合も生じる。さらには、抜け止め部Ｃ１の先端は窓穴Ｂ１から突出しているので、その部分に何らかのものが引っ掛かって抜け止め部Ｃ１が窓穴Ｂ１から外れるおそれもある。
【０００６】
そこで本発明は、上記の問題点に鑑み、上述の不具合の生じない配管連結構造を提供することを課題とする。
【課題を解決するための手段】
【０００７】
上記課題を解決するために本発明による配管連結構造は、１対の配管部材のうちの一方の端部を他方の開口に挿入した状態で抜け止め部材を両配管部材に係合させて、両配管が相互に離脱しないようにした配管連結構造であって、一方の配管の外周に係合溝を形成すると共に、一方の配管を他方の配管の開口に挿入した状態でこの係合溝に臨む窓穴を他方の配管に形成し、抜け止め部材を窓穴と係合溝とに架け渡すものにおいて、抜け止め部材の、窓穴に挿入される部分に配管の軸線方向に対向する１対の係合平面を形成し、この係合平面の外側全域を窓穴内に位置させると共に係合平面の内側全域を係合溝内に位置させることにより、係合平面の全域にわたって抜け止め部材を窓穴と係合溝とに架け渡すことを特徴とする。
【０００８】
一方の配管部材が他方の配管部材の開口から抜け出る方向に力が作用すると、抜け止め部材の係合平面には剪断力が作用する。その剪断力を係合平面の全域にわたって受けることになるので、剪断力が係合平面の全域に広く分散され、局所的に大きな剪断力が抜け止め部材に作用することが防止される。
【０００９】
なお、上記抜け止め部材は窓穴をほぼ塞ぐように装着されるように構成すれば、抜け止め部材装着状態で開口内に埃等が侵入することを防止することができる。
【発明の効果】
【００１０】
以上の説明から明らかなように、本発明は、一方の配管部材が他方の配管部材の開口から抜け出る方向の力が発生しても、抜け止め部材に作用する剪断力が広範囲にわたって分散され、抜け止め部材の変形や破断が防止される。
【００１１】
なお、抜け止め部材を装着した状態で開口が塞がれるので、開口内に埃等が侵入することがない。
【発明を実施するための最良の形態】
【００１２】
図１から図３を参照して、本実施の形態では配管部材であるパイプ１と同じく配管部材であるパイプ２とを相互に連結する。パイプ１の端部には小径部１１が形成されており、この小径部１１がパイプ２の開口２１に挿入される。この小径部１１には係合溝１２が小径部１１を囲繞するように形成されている。また、この小径部１１には係合溝１２より先端側にシール用のＯリング１３が装着されている。
【００１３】
一方、パイプ２には対称な位置に１対の窓穴２２が形成されている。この窓穴２２は小径部１１を開口２１に挿入した状態で係合溝１２に一致する位置に形成されている。そして、これら係合溝１２と窓穴２２とが相互に一致した状態で抜け止め部材３が装着される。
【００１４】
この抜け止め部材３は相互に対応する１対の抜け止め部３１と両抜け止め部３１を連結する弾性変形部３２とから構成されている。両抜け止め部３１は各々窓穴２２に外側から嵌め込まれる。すると、これら抜け止め部３１は窓穴２２と係合溝１２とに架け渡された状態になる。
【００１５】
抜け止め部３１には互いに対向し平行な係合平面３１ａ，３１ｂが形成されている。上述のように抜け止め部３１が窓穴２２と係合溝１２の双方に架け渡されると、窓穴２２と係合溝１２との境界線Ｋが係合平面３１ａ，３１ｂに一致する。すなわち、この境界線Ｋを挟んで係合平面３１ａ，３１ｂの外側全域が窓穴２２内に位置し、内側全域は係合溝１２内に位置することになる。この状態で例えばパイプ１に対して開口２１から抜け出る方向の力が作用すると、係合溝１２が抜け止め部３１に引っ掛かって、パイプ１の小径部１１が開口２１から抜け出ることが防止される。
【００１６】
そしてその際の剪断力は係合平面３１ａ，３１ｂに作用する。抜け止め部３１は図示のように窓穴２２の円周方向全体に渡って窓穴２２に嵌るので、剪断力は窓穴２２の円周方向全域、すなわち境界線Ｋにそって広範囲に分散され、局所的に大きな剪断力が抜け止め部３１に作用するということがない。そのため、抜け止め部３１が剪断力によって変形したり破断するようなことはない。
【００１７】
また、抜け止め部３１が窓穴２２に嵌ると窓穴２２をほぼ塞ぐことになるので、不要な空間が残存せず、したがって、抜け止め部材３を装着した状態で窓穴２２内に埃等が侵入し堆積することが防止される。さらに、抜け止め部材３１の先端は窓穴２２内に嵌り込んでおり外部に突出していないので、抜け止め部３１の先端に外部から不用意に引っ掛かって抜け止め部材３１が窓穴２２から脱落するという不具合を未然に防止できる。
【００１８】
なお、本発明は上記した形態に限定されるものではなく、本発明の要旨を逸脱しない範囲内において種々の変更を加えてもかまわない。
【図面の簡単な説明】
【００１９】
【図１】本発明の一実施の形態の構成を示す図
【図２】連結状態での縦断面図
【図３】III-III断面図
【図４】従来の配管連結機構を示す図
【符号の説明】
【００２０】
１  パイプ
２  パイプ
３  抜け止め部材
１２  係合溝
２２  窓穴
３１  抜け止め部
３１ａ  係合平面
３１ｂ  係合平面
【図１】
2006138364.tif 000003
【図２】
2006138364.tif 000004
【図３】
2006138364.tif 000005
【図４】
2006138364.tif 000006